(57)【要約】【課題】照明性、音響効果に優れ、浴室コーナーを有効利用して浴室壁面をスッキリとしたデザインにできる浴室用照明付スピーカユニットを提供する。【解決手段】浴室コーナーに設置され、該コーナーに取り付けられるケーシング１とこのケーシング１に収容される照明灯２とスピーカ３とからなり、該ケーシング１の上部にはスピーカ３が配置され、下部には照明灯２が設けられるとともに、上記ケーシング１のスピーカカバー部１１をネット構造とし、かつ、底部には透光部１２が設けられ、透光部１２からの照明がダウンライトとされる。【選択図】図１
2006094086.tif 000002
【特許請求の範囲】
【請求項１】
浴室コーナーに設置され、該コーナーに取り付けられるケーシングとこのケーシングに収容される照明灯とスピーカとからなり、該ケーシングの上部にはスピーカが配置され、下部には照明灯が設けられるとともに、上記ケーシングのスピーカカバー部をネット構造とし、かつ、底部には透光部が設けられ、この透光部からの照明がダウンライトとされた浴室用照明付スピーカユニット。
【請求項２】
上記スピーカからの音声が浴室中央部に集まるように二つのスピーカが浴室コーナーの天井部に取り付けられた請求項１に記載の浴室用照明付スピーカユニット。
【請求項３】
上記ケーシングの背面には空気抜き孔が設けられた請求項１に記載の浴室用照明付スピーカユニット。
【発明の詳細な説明】
【技術分野】
【０００１】
本発明は、浴室内に装備する照明付スピーカユニットに関する。さらに詳しくは、照明性および音響効果に優れた浴室用照明付スピーカユニットの構造に関する。
【背景技術】
【０００２】
近年、浴室を単に体を洗う場としてのみでなく、心身の緊張をほぐし、寛いだ雰囲気で快適なバスタイムを過ごせるよう、浴室に種々の機能を持たせることが提案されている。例えば、下記特許文献には、浴室内において環状の照明灯で囲まれた浴室壁面部分にスピーカを取り付け、ムーディな雰囲気でＢＧＭやラジオ放送等が聞ける浴室が提案されている。
【特許文献１】実公平７−３９１３５号公報（第１−３頁、第１図）
【発明の開示】
【発明が解決しようとする課題】
【０００３】
しかしながら、上記特許文献においては、その図１から明らかなように、スピーカが浴室壁面の平面部に設置され、また、スピーカの前面には遮蔽板が設けられているため、音が拡散し、必ずしも良好な音響効果が得られるものとはいい難い。また、環状の照明灯が壁面平面部にかなりのスペースを占めて取り付けられているために目立ち、浴室内の統一感にも劣るという問題がある。本発明はこのような問題点を解決して、照明性、音響効果に優れるとともに、浴室壁面をすっきりとしたデザインとすることのできる浴室用照明付スピーカユニットを提供することを、その課題とする。
【課題を解決するための手段】
【０００４】
上記課題を解決するために、本発明においては、つぎのような技術的手段を講じている。すなわち、本発明によれば、浴室コーナーに設置され、該コーナーに取り付けられるケーシングとこのケーシングに収容される照明灯とスピーカとからなり、該ケーシングの上部にはスピーカが配置され、下部には照明灯が設けられるとともに、上記ケーシングのスピーカカバー部をネット構造とし、かつ、底部には透光部が設けられ、この透光部からの照明がダウンライトとされた浴室用照明付スピーカユニットが提供される。
【０００５】
上記スピーカからの音声が浴室中央部に集まるように二つのスピーカが浴室コーナーの天井部に取り付けられることが好ましい。また、上記ケーシングの背面には空気抜き孔が設けられることが好ましい。
【発明の効果】
【０００６】
請求項１に記載の発明は上記のとおりであり、浴室コーナーに取り付けられるケーシングとこのケーシングに収容される照明灯とスピーカとからなり、該ケーシングの上部にはスピーカが配置され、下部には照明灯が設けられるとともに、ケーシングの底部からの照明がダウンライトとされているため、寛いだ雰囲気で快適なバスタイムを過ごせることができる。
【０００７】
上記スピーカからの音声が浴室中央部に集まるように二つのスピーカが浴室コーナーの天井部に取り付けられているため、ＢＧＭ、ＦＭ放送等をステレオで音響効果よく聞くことができるとともに、通常、デッドスペースとなるコーナー天井部を有効に利用し、浴室内をスッキリとした統一感のあるデザインとすることができる。また、上記ケーシングの背面には空気抜き孔が設けられているため、浴室の湿気をケーシング内に滞留させずに上記空気抜き孔から逃すことができる。
【発明を実施するための最良の形態】
【０００８】
以下、本発明の実施形態について図面を参照して、詳細に説明する。図１は、本発明にかかる浴室用照明付スピーカユニットＡを浴室奥側の左右コーナーの天井部に取り付けた状態を示す斜視図である。図２は、図１におけるＸ−Ｘ線に沿う平断面図である。図１、図２からよくわかるように、上記浴室用照明付スピーカユニットＡはケーシング１とこのケーシング１に収容される照明灯２としての白熱灯とスピーカ３とからなり、ケーシング１の上部にはスピーカ３がスピーカ係止板１４によって係止されて配置されるとともに、下部には照明灯２が設けられ、上記ケーシング１のスピーカカバー部１１はネット構造とされている。また、図２に示すように、上記ケーシング１は浴室側壁４に固定用ビス５で取り付けられ、ケーシング１の背面の一つには空気抜き孔１３が設けられている。
【０００９】
図３は上記浴室用照明付スピーカユニットＡを示す部分切欠き正面図である。図３によく示されているように、ケーシング１の底部には透光部１２が設けられ、照明灯２からの光は下方に投光され、ダウンライトとされている。また、図１に示すように、浴室奥側の左右コーナーの天井部から発せられた音声は、スピーカカバー部１１を経てハッチで表されるように中央に集音され、ステレオ効果を発揮して音質が高められ、入浴者に音響効果よく届くことがわかる。さらに、照明灯２からダウンライトとされた光は浴室内を間接照明し、リラックスした雰囲気を醸し出し、癒し効果を高めることができる。
【００１０】
このように、上記浴室用照明付スピーカユニットＡを浴室奥側の左右コーナー部の天井部に取り付けることにより、通常、デッドスペースとなるコーナー天井部を有効利用するとともに、浴室内をスッキリとした統一感のあるデザインとすることができる。したがって、上記したスピーカの音質の向上、ダウンライトによる柔らかな間接光と相乗効果を発揮し、浴室を単に体を洗うのみでなく、心身の緊張をほぐしてリラックスできる場とすることができる。
【図面の簡単な説明】
【００１１】
【図１】本発明にかかる浴室用照明付スピーカユニットを浴室奥側の左右コーナーの天井部に取り付けた状態を示す斜視図である。
【図２】図１におけるＸ−Ｘ線に沿う平断面図である。
【図３】上記照明付スピーカユニットを示す部分切欠き正面図である。
【符号の説明】
【００１２】
Ａ          本発明にかかる浴室用照明付スピーカユニット
１          ケーシング
１１        スピーカカバー部
１２        透光部
１３        空気抜き孔
１４        スピーカ係止板
２          照明灯
３          スピーカ
４          浴室側壁
５          固定用ビス
【図１】
2006094086.tif 000003
【図２】
2006094086.tif 000004
【図３】
2006094086.tif 000005